(57)【要約】【課題】  放水時における消火ホースの後端部の折れを防止するもので、水が途中で止まることなく放水することができ、消火活動に支障がなく、スムーズに行える消火ホース用保持具を提供する。【解決手段】  折り畳み式の消火ホースを用いた屋内消火栓装置に於いて、消火ホースの後端部に取り付け、消火ホースの折れを防止すべく、取付バンドにホース保持具を設けてなることを特徴とする。【選択図】図１
2007313262.tif 000002
【特許請求の範囲】
【請求項１】
折り畳み式の消火ホースを用いた屋内消火栓装置に於いて、消火ホースの後端部に取り付け、消火ホースの折れを防止すべく、取付バンドにホース保持具を設けてなることを特徴とする消火ホース用保持具。
【請求項２】
取付バンドが、開閉自在に形成すると共に、固定具を設けてなることを特徴とする請求項１記載の消火ホース用保持具。
【請求項３】
ホース保持具がゴム製であることを特徴とする請求項１又は２記載の消火ホース用保持具。
【請求項４】
取付バンドが、リング状に形成すると共に、固定具を設けてなり、ホース保持具がジャバラ状に形成してなることを特徴とする請求項１記載の消火ホース用保持具。
【請求項５】
取付バンドが、リング状に形成すると共に、固定具を設けてなり、ホース保持具がコイル状に形成してなることを特徴とする請求項１記載の消火ホース用保持具。
【請求項６】
ホース保持具の長さが少なくとも２０ｃｍ以上であることを特徴とする請求項１，２，３，４又は５記載の消火ホース用保持具。
【発明の詳細な説明】
【技術分野】
【０００１】  本発明は、主に屋内消火栓装置内の消火栓ホースにおいて、使用時（放水時）における特に消火ホースの後端部の折れを防止する消火ホース用保持具に関すものである。
【背景技術】
【０００２】  従来の技術として、ポンプ起動押釦を備えた消火栓箱内に、基端側を放水弁へ連結すると共に先端側に放水ノズルを取り付けた折り畳み式の消火ホースを格納して成る屋内消火栓装置に於いて、前記消火ホースを外周壁に操作用導体を備えた消火ホースと、また前記放水ノズルを放水用手元スイッチを備えた放水ノズルと、更に前記放水弁を電動式の電動放水弁とすると共に、前記放水用手元スイッチの操作により操作用導体を介して励磁電流を供給し、電動放水弁を開放する構成としたことを特徴とする屋内消火栓装置がある。（特許文献１参照）【０００３】    また、他の従来技術として、保形ホースを内巻きで収納し前記保形ホースが繰り出されるホース開口部を有するホース収納部を備えた内巻き式消火栓装置において、前記消火栓装置に固定された固定端と、前記ホース開口部に横方向に臨む開放端とを有する掛り部材を設けたことを特徴とする内巻き式消火栓装置がある。（特許文献２参照）
【特許文献１】  実開平６−３９０２８号公報
【特許文献２】  特開２００４−２２９７００号公報
【発明の開示】
【発明が解決しようとする課題】
【０００４】  上記前者においては、消火ホースの後端部に使用時における折れ曲り防止のための保持具等が設けていないため，消火のための消火ホースを引き出して放水する時、必要以上に引っ張って消火ホースの後端部が折れてしまい、水が出なくなることがしばしばあると報告されている。【０００５】  また、上記後者においては、発明の効果の中に記載されているように、降りてきた保形ホースが掛り部材に当たることにより、保形ホースが一旦止まりばらけが防止されるものであり、本発明のような消火ホースの後端部の折れを防止する作用・効果は有していない。【０００６】  本発明は、上記の問題点に鑑みなされたもので、その目的は、放水時における消火ホースの後端部の折れを防止するもので、水が途中で止まることなく放水することができ、消火活動に支障がなく、スムーズに行える消火ホース用保持具を提供するものである。
【課題を解決するための手段】
【０００７】  本発明は、上記目的を達成するために、折り畳み式の消火ホースを用いた屋内消火栓装置に於いて、消火ホースの後端部に取り付け、消火ホースの折れを防止すべく、取付バンドにホース保持具を設けてなること。取付バンドが、開閉自在に形成すると共に、固定具を設けてなること。ホース保持具がゴム製であること。取付バンドが、リング状に形成すると共に、固定具を設けてなり、ホース保持具がジャバラ状に形成してなること。取付バンドが、リング状に形成すると共に、固定具を設けてなり、ホース保持具がコイル状に形成してなる。
【発明の効果】
【０００８】１）、取付バンドにホース保持具を設けた消火ホース用保持具により、放水時において必要以上に引っ張って消火ホースの後端部が折れることを確実に防止することができる効果がある。
２）、取付バンドが、開閉自在に形成し、固定具（ボルト等）を設けることにより、消火ホースの後端部に対してセットした状態で、簡単・容易に着脱自在に取り付けられる効果がある。
３）、ホース保持具をゴム製（ゴム板）とすることにより、消火ホースの後端部に巻き付けて使用できるため、簡単である。
４）、取付バンドをリング状にし、ホース保持具をジャバラ状に形成することにより、一旦消火ホースの連結部を放水弁より取り外した後、連結部より取付バンド（ホース保持具）を挿入し、固定するものであり、取り付けに多少の手間が掛るものの、より確実に消火ホースを保持できると共に、ジャバラ状のため長さ調節が容易にできる効果がある。
５）、ホース保持具をコイル状に形成することにより、スプリング効果により、左右方向に消化ホースを移動させても強固な弾力性により対応できる効果がある。
６）、ホース保持具の長さを２０ｃｍ以上（３０ｃｍから５０ｃｍが適当）にすることにより、確実に消火ホースを保持できる。
【発明の実施するための最良の形態】
【０００９】以下、本発明の実施の形態を図面に基づいて説明する。
消火ホース用保持具は、取付バンド２とホース保持具３とにより構成される。
【００１０】  取付バンド２は円弧状のバンド本体２ａ・２ａをリベット２ｂにて開閉自在に形成すると共に、先端部にボルト２ｂ１、ナット２ｂ２による固定具２ｂを設けてある。
【００１１】  ホース保持具３は、ゴム板を円筒状（側部を多少重合させる）に形成し、上部を上記取付バンド２の内周面に接着剤等で固着してなるものである。
なお、長さＬは２０ｃｍ以上が望ましく、３０ｃｍから５０ｃｍが適当と思われる。
【００１２】  上記消火ホース用保持具１の使用例について、下記に述べる。
まず、屋内消火栓装置Ａは、ケースＢ内にホース架けＣ、ポンプ起動押ボタンＤ、表示灯Ｅ、警報ベルＦを設けると共に、先端に放水ノズルを設けた消化ホースＨの後端の連結部Ｉを放水弁Ｊに取り付けてなる。
【００１３】  消火ホース用保持具１は、まず取付バンド２のナット２ｂ２を取り外し、バンド本体２ａ・２ａを開くと同時にホース保持具３を開放した状態で消火ホースＨの連結部Ｉに取り付け、バンド本体２ａ・２ａを閉じて（ホース保持具３を消火ホースＨの後端部に巻き付ける）ボルト２Ｂ１の先端よりナット２ｂ２を螺設して固着させる。
【００１４】  この状態で、放水弁Ｊを開き、消火ホースＨ内に水を送り込み、放水ノズルＧより放水させ、消火作業を行う時、左右に消火ホースＨが移動し、必要以上に引っ張ってもホース保持具３は曲がるのみで消火ホースＨの後端部が折れることなく、消火作業を維持できる。
【００１５】  つぎに、第２実施例の消火ホース用保持具を説明する。
消火ホース用保持具２１は、リング状に形成したバンド本体２２ａに、ボルトによる固定具２２ｂを設けてなる取付バンド２２に合成樹脂等によりジャバラ状に形成してなる円筒状のホース保持具２３を設けてなるものである。
なお、必要に応じてホース保持具２３を上下動することができるものである。
【００１６】  次に、第３実施例の消火ホース用保持具を説明する。
消火ホース用保持具３１は、上記取り付けバンド２２と同様な取り付けバンド３２にバネ線材をコイル状に形成したホース保持具３３を設けてなるもので、スプリング効果により消火ホースを保持できるものである。
【００１７】  上記各実施例において、取付バンドの材質や固定具等は、特に限定するものでない。
また、ホース保持具の内容は、消火ホースの外径より多少大径とするのが望ましい。
さらに、第１実施例におけるホース保持具の重合部分において取付後、接着剤でさらにまた、取付固定なのも一考である。
【図面の簡単な説明】
【００１８】
【図１】本発明の第１実施例を示す消火ホース用保持具の正面図。
【図２】本発明の第１実施例を示す消火ホース用保持具の平面図。
【図３】屋内消化栓装置の内部の正面図
【図４】本発明の第１実施例を示す消火ホース用保持具の取付状態の正面図。
【図５】本発明の第１実施例を示す消火ホース用保持具の使用状態の正面図。
【図６】本発明の第２実施例を示す消火ホース用保持具の正面図。
【図７】本発明の第２実施例を示す消火ホース用保持具の平面図。
【図８】本発明の第３実施例を示す消火ホース用保持具の正面図。
【符号の説明】
【００１９】１−−−消火ホース用保持具
２−−−取付バンド
３−−−ホース保持具
Ａ−−−消火栓装置
Ｈ−−−消火ホース
Ｉ−−−後部の連結部
Ｊ−−−放水弁
【図１】
2007313262.tif 000003
【図２】
2007313262.tif 000004
【図３】
2007313262.tif 000005
【図４】
2007313262.tif 000006
【図５】
2007313262.tif 000007
【図６】
2007313262.tif 000008
【図７】
2007313262.tif 000009
【図８】
2007313262.tif 000010